(57)【要約】      （修正有）【課題】抗アレルゲン性を有する界面活性剤を添加することにより、界面活性作用と同時に抗アレルゲン作用を発揮できる環境浄化型の物品や清掃用繊維製品を提供する。【解決手段】該界面活性剤は、特に、ダニ糞及び／又はダニ死骸に由来するアレルゲンを効果的に不活化できる抗アレルゲン性界面活性剤であって、構造式中にＯＣＯ基、ＣＯＮ基、イミダゾリン基を有する。該抗アレルゲン性界面活性剤を物品に担持させることにより、抗アレルゲン性物品となる。更に具体的には油剤と抗アレルゲン性界面活性剤を繊維に含浸させることにより、抗アレルゲン性清掃用繊維製品となる。【選択図】なし【特許請求の範囲】
【請求項１】
アレルゲンのアレルゲン活性を低減させる作用を有することを特徴とする抗アレルゲン性界面活性剤。
【請求項２】
前記アレルゲンがダニ糞及び／又はダニ死骸に由来するアレルゲンである請求項１に記載の抗アレルゲン性界面活性剤。
【請求項３】
前記界面活性剤が構造式中にＯＣＯ基を有する請求項１又は２に記載の抗アレルゲン性界面活性剤
【請求項４】
前記界面活性剤が構造式中にＣＯＮ基を有する請求項１又は２に記載の抗アレルゲン性界面活性剤。
【請求項５】
前記界面活性剤が構造式中にイミダゾリン基を有する請求項１又は２に記載の抗アレルゲン性界面活性剤。
【請求項６】
請求項１〜５のいずれかに記載の抗アレルゲン性界面活性剤を物品の表面又は内部に担持させたことを特徴とする抗アレルゲン性物品。
【請求項７】
油剤と界面活性剤を少なくとも含む吸着剤が繊維に含浸される清掃用繊維製品において、前記界面活性剤が請求項１〜５のいずれかに記載の抗アレルゲン性界面活性剤であることを特徴とする清掃用繊維製品。
【請求項８】
前記繊維１００重量部に対して、前記油剤が５〜５０重量部、前記抗アレルゲン性界面活性剤が０．０１〜３重量部担持される請求項７に記載の清掃用繊維製品。
【請求項９】
前記清掃用繊維製品がモップ又はマットである請求項７又は８に記載の清掃用繊維製品。
【発明の詳細な説明】
【技術分野】
【０００１】
本発明は界面活性剤に関し、更に詳細には本発明者等により新規に発見された抗アレルゲン活性を有する界面活性剤に関し、その界面活性剤を担持した物品及び清掃用繊維製品に関する。
【背景技術】
【０００２】
一般に、油剤と水は層分離を起こすから、両者を自然状態で均一に混合することは困難である。そこで、油剤と水を均一に混合するために、界面活性剤が導入される。界面活性剤は、油剤と水の界面を変化（活性化）させ、油剤を水中にコロイド状に乳化させる作用を有する。油剤を油状物質にまで拡大すると、化粧品や特定の食品なども油状物質であり、化粧品や食品を均一に乳化混合するためにも界面活性剤が使用されている。
【０００３】
本出願人は、創立の当初から、界面活性剤を利用してモップやマットに油剤を含浸させる技術を開発してきた。具体的に述べると、界面活性剤を使用して油剤を水中で乳化させ、この水中にモップやマット等の清掃用繊維製品を浸漬し、塩類の添加やｐＨ調節により、分散した油剤粒子を前記清掃用繊維製品に担持させることができる（特許文献１〜特許文献６）。
【０００４】
特公昭３８−２３２９５号（特許文献１）は、鉱物油を陽イオン界面活性剤と非イオン界面活性剤で乳化し、温度調節によって乳化油中の油分を繊維に含浸させる技術である。特開昭４７−２３６９１号（特許文献２）は、油状物質に両性界面活性剤と非イオン界面活性剤を添加して乳化油とし、水中で、前記乳化油の等電点よりも酸性側で、乳化粒子を繊維に含浸させる技術である。特公昭５０−６５９４号（特許文献３）は、油状物質をカチオン活性基を有する両性界面活性剤で乳化し、カチオン活性を発揮し得るｐＨ領域で乳化粒子を繊維に含浸させる技術である。
【０００５】
特公昭５３−３７４７１号（特許文献４）は、化学合成油に非イオン界面活性剤を添加して乳化し、前記化学合成油を繊維に含浸させる技術である。特公昭６３−６７８２９号（特許文献５）は、油剤にカチオン活性基を有する界面活性剤と金属封鎖剤を添加して水性乳化液を調製し、乳化粒子を繊維に含浸させる技術である。特公平５−１０９３５号（特許文献６）は、油剤に非カチオン系界面活性剤を添加して水性乳化液を調製し、塩析剤を添加して乳化粒子を繊維に含浸させる技術である。以上のように、本出願人は界面活性剤を利用した繊維への油剤含浸技術を確立してきた。
【０００６】
繊維への油剤含浸技術を高度化する中で、本出願人は抗菌剤や防カビ剤を添加する技術を開発し、清掃用繊維製品に清掃機能に加えて環境浄化機能を保有させることに成功した。このような中で、アレルギー症状を発症させる抗原（以下、アレルゲンという）の除去機能が要求されるようになった。
【０００７】
アレルゲンとして最も注目を浴びたものは生きたダニであった。この生ダニを除去する機能を掃除用具に保有させる技術として、本出願人は特開平１０−７５９２４号（特許文献７）を提案した。この清掃用具は、その表面又は内部に殺ダニ剤及び／又はダニ増殖抑制剤を処理した構造を有し、具体的には殺ダニ剤及び／又はダニ増殖抑制剤を油剤に添加し、この油剤を繊維に含浸させることにより清掃用具に防ダニ処理を施す技術である。
【特許文献１】特公昭３８−２３２９５号
【特許文献２】特開昭４７−２３６９１号
【特許文献３】特公昭５０−６５９４号
【特許文献４】特公昭５３−３７４７１号
【特許文献５】特公昭６３−６７８２９号
【特許文献６】特公平５−１０９３５号
【特許文献７】特開平１０−７５９２４号
【発明の開示】
【発明が解決しようとする課題】
【０００８】
その後、ハウスダストに含まれるアレルゲンの主体は、生ダニのみならず、ダニ糞由来のアレルゲン及びダニ死骸由来のアレルゲンであることが分かってきた。ダニ糞由来のアレルゲンはＤｅｒ１と呼ばれ、ヤケヒョウヒダニはＤｅｒｐ１、コナヒョウヒダニはＤｅｒｆ１と表示され、Ｄｅｒ１＝Ｄｅｒｐ１＋Ｄｅｒｆ１と表現される。また、ダニ死骸由来のアレルゲンはＤｅｒ２で表される。
【０００９】
前述したように、生ダニの場合には、殺ダニ剤及び／又はダニ増殖抑制剤を油剤に添加するだけで、清掃用具に集塵されたダニを殺し、また集塵されたダニの増殖抑制を実現できる。また、清掃用具に集塵されるハウスダストの中に生ダニが捕集されることを忌避することができる。更に、この清掃用具で室内を清掃すると、室内にダニが侵入するのを阻止でき、室内全体のダニ浄化を実現できる。
【００１０】
しかし、殺ダニ剤及び／又はダニ増殖抑制剤を油剤に添加するだけでは、ダニ糞由来のアレルゲン及びダニ死骸由来のアレルゲンが室内に存在した場合に、そのアレルゲン活性を低減したり、消滅させることは不可能である。また、清掃用具にダニ糞由来のアレルゲン及びダニ死骸由来のアレルゲンが集塵された場合に、そのアレルゲン活性を低減したり、消滅させることも不可能である。ダニ糞由来のアレルゲン及びダニ死骸由来のアレルゲンを不活化するには、そのアレルゲン活性を低減する作用物質（抗アレルゲン剤）を新たに発見し、この作用物質を油剤中に添加しなければならない。
【００１１】
本発明者等の研究では、従来の抗アレルゲン剤はダニ糞由来及びダニ死骸由来の前記アレルゲン活性の低減作用が不十分であり、そのために新たな抗アレルゲン剤を発見しなければならないという要請がある。また、この抗アレルゲン剤が発見されたとしても、抗アレルゲン剤を油剤と界面活性剤に添加して清掃用繊維製品に含浸させることが必要であり、新規な抗アレルゲン剤を添加する分だけコスト高となり、商品価格の高騰を招来することになる。
【００１２】
本発明は、上記実情に鑑みてなされたものであり、従来から繊維に含浸されている油剤組成物の中に抗アレルゲン活性を有する物質が発見できれば、その本来の作用と同時に抗アレルゲン作用を発揮でき、新規な抗アレルゲン剤を添加しないで済むから、抗アレルゲン性の付与による商品価格の高騰を防止できるはずである。その研究の中で、本発明者等は特定構造の界面活性剤が界面活性作用と同時に抗アレルゲン活性を有することを発見して本発明を完成したものである。この特定構造の界面活性剤を利用すれば、界面活性作用と同時に抗アレルゲン作用を発現でき、清掃用繊維製品・化粧品・その他の界面活性剤を使用する全技術分野に抗アレルゲン性を同時付与できるという極めて画期的な技術的効果を奏することが可能になる。
【課題を解決するための手段】
【００１３】
本発明は、上記課題を解決するために提案されたものであって、本発明の第１の形態は、アレルゲンのアレルゲン活性を低減させる作用を有する抗アレルゲン性界面活性剤である。
【００１４】
本発明の第２の形態は、前記第１形態において、前記アレルゲンがダニ糞及び／又はダニ死骸に由来するアレルゲンである抗アレルゲン性界面活性剤である。
【００１５】
本発明の第３の形態は、前記第１形態又は第２形態において、前記界面活性剤が構造式中にＯＣＯ基を有する抗アレルゲン性界面活性剤である。
【００１６】
本発明の第４の形態は、前記第１形態又は第２形態において、前記界面活性剤が構造式中にＣＯＮ基を有する抗アレルゲン性界面活性剤である。
【００１７】
本発明の第５の形態は、前記第１形態又は第２形態において、前記界面活性剤が構造式中にイミダゾリン基を有する抗アレルゲン性界面活性剤である。
【００１８】
本発明の第６の形態は、前記第１形態〜第５形態のいずれかの抗アレルゲン性界面活性剤を物品の表面又は内部に担持させた抗アレルゲン性物品である。
【００１９】
本発明の第７の形態は、油剤と界面活性剤を少なくとも含む吸着剤が繊維に含浸される清掃用繊維製品において、前記界面活性剤が前記第１形態〜第５形態のいずれかに記載の抗アレルゲン性界面活性剤である清掃用繊維製品である。
【００２０】
本発明の第８の形態は、前記第７形態において、前記繊維１００重量部に対して、前記油剤が５〜５０重量部、前記抗アレルゲン性界面活性剤が０．０１〜３重量部担持される清掃用繊維製品である。
【００２１】
本発明の第９の形態は、前記第７形態又は第８形態において、前記清掃用繊維製品がモップ又はマットである清掃用繊維製品である。
【発明の効果】
【００２２】
本発明の第１の形態によれば、アレルゲン活性低減作用を有する抗アレルゲン性界面活性剤が提供されるから、この抗アレルゲン性界面活性剤を使用することにより界面活性作用と同時に抗アレルゲン作用を同時的に発揮することが可能になる。この抗アレルゲン性界面活性剤は、界面活性剤が使用されるあらゆる技術分野で活用できる利点を有する。この抗アレルゲン性界面活性剤が利用できる分野は、化粧品、頭髪化粧品、入浴用洗浄剤、家庭用洗浄剤、工業用洗浄剤、廃液処理剤、廃油処理剤、土壌改良剤などの各種分野がある。
【００２３】
本発明の第２の形態によれば、ダニ糞及び／又はダニ死骸に由来するアレルゲンに対する抗アレルゲン性界面活性剤が提供されるから、室内におけるダニ起源のアレルゲンに対して、アレルゲン不活化を実現できる。医学的には、アトピー性皮膚炎を発症した乳児では、その後の気管支喘息を予防するために、１歳までの早期からダニアレルギー予防の対策を行う必要性が主張されている。詳細には、アトピー性皮膚炎を発症した乳児は、その後の約４年間に３６％が気管支喘息を発症し、その発症に関与する遺伝因子として、ダニアレルギーに対する高感受性が報告されている。しかも、最近の研究では、ダニアレルギーを引き起こすアレルゲンは、生ダニのみならず、ダニ糞及び／又はダニ死骸に由来するアレルゲンが主体であることが実証されつつある。本形態の抗アレルゲン性界面活性剤は、ダニ糞及び／又はダニ死骸に由来するアレルゲンに対する不活化作用を有している。従って、界面活性剤として本形態の抗アレルゲン性界面活性剤を使用することにより、家庭や仕事場のあらゆる場所から、ダニアレルギー原因物質（ダニアレルゲン）を不活化し、環境の浄化対策を有効に推進することが可能になる。
【００２４】
本発明の第３の形態によれば、構造式中にＯＣＯ基を有する抗アレルゲン性界面活性剤が提供されるから、ダニ糞及び／又はダニ死骸に由来するアレルゲンを有効に不活化することが可能になる。本発明者等は、鋭意研究した結果、主としてダニ糞及び／又はダニ死骸に由来するアレルゲンを不活化する界面活性剤は、その構造式中にＯＣＯ基を有することを発見して、本形態を完成するに至った。このＯＣＯ基を有する抗アレルゲン性界面活性剤の具体例として、例えば、ＲＣＨ（ＳＯ３Ｎａ）ＯＣＯＣＨ３、Ｒ１ＣＲ２（ＳＯ３Ｎａ）ＯＣＯＣＨ３、Ｒ１ＣＨ（ＳＯ３Ｎａ）ＯＣＯＣＨ２Ｒ２、これら分子の誘導体・会合分子・ポリマーなどがある。ここで、Ｒ、Ｒ１、Ｒ２はアルキル基・アリル基・フェニル基などの炭化水素基である。
【００２５】
本発明の第４の形態によれば、構造式中にＣＯＮ基を有する抗アレルゲン性界面活性剤が提供されるから、ダニ糞及び／又はダニ死骸に由来するアレルゲンを有効に不活化することが可能になる。本発明者等は、鋭意研究した結果、主としてダニ糞及び／又はダニ死骸に由来するアレルゲンを不活化する界面活性剤は、その構造式中にＣＯＮ基を有することを発見して、本形態を完成するに至った。このＣＯＮ基を有する抗アレルゲン性界面活性剤の具体例として、例えば、ＲＣＯＮＣＨ３ＣＨＣ２Ｈ５ＣＯＯＨ、Ｒ１ＣＯＮＣＨ２Ｒ２ＣＨＣ２Ｈ５ＣＯＯＨ、ＲＣＯＮＨＣ２Ｈ４ＮＨＣ２Ｈ４Ｏ（Ｃ２Ｈ４Ｏ）ｎＨ、これら分子の誘導体・会合分子・ポリマーなどがある。ここで、Ｒ、Ｒ１、Ｒ２はアルキル基・アリル基・フェニル基などの炭化水素基である。
【００２６】
本発明の第５の形態によれば、構造式中にイミダゾリン基を有する抗アレルゲン性界面活性剤が提供されるから、ダニ糞及び／又はダニ死骸に由来するアレルゲンを有効に不活化することが可能になる。本発明者等は、鋭意研究した結果、主としてダニ糞及び／又はダニ死骸に由来するアレルゲンを不活化する界面活性剤は、その構造式中にイミダゾリン基を有することを発見して、本形態を完成するに至った。ここでイミダゾリン基とは、ＣＮＣＣＮが形成する五員環を意味する。このイミダゾリン基を有する抗アレルゲン性界面活性剤の具体例として、例えば、Ｒ１ＣＮＣＲ２ＨＣＲ３ＨＮＣ２Ｈ４ＯＨ（Ｃ２Ｈ４Ｏ）ｎＨ、ＲＣＮＣＨ２ＣＨ２ＮＣＨ２ＯＨ（Ｃ２Ｈ４Ｏ）ｎＨ、これら分子の誘導体・会合分子・ポリマーなどがある。ここで、Ｒ、Ｒ１、Ｒ２、Ｒ３はアルキル基・アリル基・フェニル基などの炭化水素基である。
【００２７】
本発明の第６の形態によれば、前記第１形態〜第５形態のいずれかの抗アレルゲン性界面活性剤を物品の表面又は内部に担持させた抗アレルゲン性物品が提供されるから、界面活性剤を使用する各種の物品において、その界面活性剤として本発明の抗アレルゲン性界面活性剤を使用すれば、物品に抗アレルゲン作用を付与することができる。物品には、構造物、固体物、液体物、粘状物などがある。具体的には、化粧品、頭髪化粧品、入浴用洗浄剤、家庭用洗浄剤、工業用洗浄剤、廃液処理剤、廃油処理剤、土壌改良剤、掃除機の吸塵フィルター、家庭用業務用のレンジフードフィルター、車用木材用のワックス、壁紙、芳香消臭剤、その他各種の物品が包含される。勿論、従来から界面活性剤を使用しない物品においても、この抗アレルゲン性界面活性剤を追加的に塗着・担持させることにより、物品の本来機能に抗アレルゲン性を付与することが可能であることは云うまでもない。
【００２８】
本発明の第７の形態によれば、油剤と抗アレルゲン性界面活性剤を少なくとも含む吸着剤が繊維に含浸された清掃用繊維製品を提供できる。この抗アレルゲン性界面活性剤は油剤を乳化させる作用を有し、この乳化液をｐＨ調整や塩類の添加などの手段により、乳化粒子を繊維表面に担持・含浸させることができる。従って、繊維表面には油剤と抗アレルゲン性界面活性剤が混合された吸着剤が含浸されており、清掃により集塵されたハウスダストを油剤により吸着でき、しかもハウスダスト中のアレルゲンを抗アレルゲン性界面活性剤により不活化することができる。清掃用繊維製品には、繊維が使用される清掃用具の全てが包含され、繊維には紙を含む天然繊維や合成繊維があり、織布・編布・不織布その他の繊維成形体が含まれる。製品としてはモップ・マット・クロス・ハタキなどがあり、買取商品・レンタル商品・リース商品などが含まれる。
【００２９】
本発明の第８の形態によれば、繊維１００重量部に対して、油剤が５〜５０重量部、抗アレルゲン性界面活性剤が０．０１〜３重量部担持される清掃用繊維製品が提供される。これらの数値範囲は本出願人の経験から導出された範囲である。油剤の数値範囲として、５重量部以下ではハウスダストの吸塵効率が低下し、５０重量部以上では吸塵しても油剤が被清掃面に転移する可能性が高くなる。また、抗アレルゲン性界面活性剤の数値範囲として、０．０１重量部以下では油剤の乳化力が低下し、３重量部以上では過剰添加となって界面活性剤のコストが急増する原因となる。
【００３０】
本発明の第９の形態によれば、清掃用繊維製品としてモップ又はマットが提供される。清掃用繊維製品の中でも、モップとマットが買取商品やレンタル商品の中心で、室内清掃の主役はモップであり、室外から室内への塵埃遮断する主役がマットである。モップやマットの繊維に油剤と共に抗アレルゲン性界面活性剤を含浸させると、清掃機能に加えてアレルゲン不活化機能が付与され、環境浄化機能が一層に向上できる。ハウスダストの中にアレルゲンが存在すると、アレルギー発症の原因となり、乳幼児では将来の気管支喘息の引き金ともなると考えられる。モップやマットに抗アレルゲン作用を付加することで、家庭や仕事場におけるアレルギー発症を抑制し、特に子供達のアレルギー発症の抑制を実現できる画期的効果を奏することが可能になる。
【発明を実施するための最良の形態】
【００３１】
[実施例１：ＯＣＯ基を有する抗アレルゲン性界面活性剤の試験]
ＯＣＯ基を有する抗アレルゲン性界面活性剤として、Ｃ８Ｈ１７ＣＨ（ＳＯ３Ｎａ）ＯＣＯＣＨ３とＣ７Ｈ１５ＣＨ（ＳＯ３Ｎａ）ＯＣＯＣ２Ｈ５を選択し、夫々の抗アレルゲン性界面活性剤の抗アレルゲン活性を試験した。
【００３２】
抗アレルゲン性界面活性剤の３％水溶液１０ｍｌを調製し、この水溶液にコナヒョウヒダニの糞由来のアレルゲン２０００ｎｇを添加した。その後、株式会社ＬＣＤアレルギー研究所製の「ダニＤｅｒｆ１抗原測定キット」を用いて、ＥＬＩＳＡ法により抗アレルゲン効果を測定した。効果を比較するため、何も添加しない水１０ｍｌ（ブランクという）に前記アレルゲン２０００ｎｇを添加して同様の測定を行った。アレルゲン活性は残留するアレルゲン量により評価した。その結果、Ｃ８Ｈ１７ＣＨ（ＳＯ３Ｎａ）ＯＣＯＣＨ３では、アレルゲン量が７１ｎｇになり、Ｃ７Ｈ１５ＣＨ（ＳＯ３Ｎａ）ＯＣＯＣ２Ｈ５では、アレルゲン量が９４ｎｇになることが分かった。他方、ブランクでは、アレルゲン量の測定値は１８６２ｎｇであった。従って、界面活性剤Ｃ８Ｈ１７ＣＨ（ＳＯ３Ｎａ）ＯＣＯＣＨ３と界面活性剤Ｃ７Ｈ１５ＣＨ（ＳＯ３Ｎａ）ＯＣＯＣ２Ｈ５は強力な抗アレルゲン活性を有し、ダニアレルゲン活性を低減又は消去する作用を有することが実験的に確認された。
【００３３】
[実施例２：ＣＯＮ基を有する抗アレルゲン性界面活性剤の試験]
ＣＯＮ基を有する抗アレルゲン性界面活性剤として、Ｃ１８Ｈ３７ＣＯＮＣＨ３ＣＨＣ２Ｈ５ＣＯＯＨとＣ１８Ｈ３７ＣＯＮＨＣ２Ｈ４ＮＨＣ２Ｈ４Ｏ（Ｃ２Ｈ４Ｏ）ｎＨを選択し、夫々の抗アレルゲン性界面活性剤の抗アレルゲン活性を試験した。
【００３４】
抗アレルゲン性界面活性剤の３％水溶液１０ｍｌを調製し、この水溶液にコナヒョウヒダニの糞由来のアレルゲン２０００ｎｇを添加した。その後、株式会社ＬＣＤアレルギー研究所製の「ダニＤｅｒｆ１抗原測定キット」を用いて、ＥＬＩＳＡ法により抗アレルゲン効果を測定した。効果を比較するため、何も添加しない水１０ｍｌ（ブランク）に前記アレルゲン２０００ｎｇを添加して同様の測定を行った。アレルゲン活性は残留するアレルゲン量により評価した。その結果、Ｃ１８Ｈ３７ＣＯＮＣＨ３ＣＨＣ２Ｈ５ＣＯＯＨでは、アレルゲン量が８３ｎｇになり、Ｃ１８Ｈ３７ＣＯＮＨＣ２Ｈ４ＮＨＣ２Ｈ４Ｏ（Ｃ２Ｈ４Ｏ）ｎＨでは、アレルゲン量が３７４ｎｇになることが分かった。他方、ブランクでは、アレルゲン量の測定値は１９８３ｎｇであった。従って、界面活性剤Ｃ１８Ｈ３７ＣＯＮＣＨ３ＣＨＣ２Ｈ５ＣＯＯＨと界面活性剤Ｃ１８Ｈ３７ＣＯＮＨＣ２Ｈ４ＮＨＣ２Ｈ４Ｏ（Ｃ２Ｈ４Ｏ）ｎＨは抗アレルゲン活性を有し、ダニアレルゲン活性を低減する作用を有することが実証された。
【００３５】
[実施例３：イミダゾリン基を有する抗アレルゲン性界面活性剤の試験]
イミダゾリン基を有する抗アレルゲン性界面活性剤として、Ｃ１８Ｈ３７ＣＮＣＣＨ３ＨＣＣＨ３ＨＮＣ２Ｈ４ＯＨ（Ｃ２Ｈ４Ｏ）ｎＨとＣ１６Ｈ３３ＣＮＣＨ２ＣＨ２ＮＣＨ２ＯＨ（Ｃ２Ｈ４Ｏ）ｎＨを選択し、夫々の抗アレルゲン性界面活性剤の抗アレルゲン活性を試験した。
【００３６】
抗アレルゲン性界面活性剤の３％水溶液１０ｍｌを調製し、この水溶液にコナヒョウヒダニの糞由来のアレルゲン２０００ｎｇを添加した。その後、株式会社ＬＣＤアレルギー研究所製の「ダニＤｅｒｆ１抗原測定キット」を用いて、ＥＬＩＳＡ法により抗アレルゲン効果を測定した。効果を比較するため、何も添加しない水１０ｍｌ（ブランクという）に前記アレルゲン２０００ｎｇを添加して同様の測定を行った。アレルゲン活性は残留するアレルゲン量により評価した。その結果、Ｃ１８Ｈ３７ＣＮＣＣＨ３ＨＣＣＨ３ＨＮＣ２Ｈ４ＯＨ（Ｃ２Ｈ４Ｏ）ｎＨでは、アレルゲン量が５４８ｎｇになり、Ｃ１６Ｈ３３ＣＮＣＨ２ＣＨ２ＮＣＨ２ＯＨ（Ｃ２Ｈ４Ｏ）ｎＨでは、アレルゲン量が６３６ｎｇになることが分かった。他方、ブランクでは、アレルゲン量の測定値は２０５３ｎｇであった。ブランクにおいて２０００ｎｇの初期アレルゲン量よりも大きな値が測定された理由は、ＥＬＩＳＡ法ではそれ位の誤差が生じることを示している。従って、界面活性剤Ｃ１８Ｈ３７ＣＮＣＣＨ３ＨＣＣＨ３ＨＮＣ２Ｈ４ＯＨ（Ｃ２Ｈ４Ｏ）ｎＨと界面活性剤Ｃ１６Ｈ３３ＣＮＣＨ２ＣＨ２ＮＣＨ２ＯＨ（Ｃ２Ｈ４Ｏ）ｎＨは抗アレルゲン活性を有し、ダニアレルゲン活性を低減する作用を有することが実証された。
【００３７】
実施例１〜３の試験から分かるように、ＯＣＯ基、ＣＯＮ基又はイミダゾリン基を有する界面活性剤は、アレルゲンが有するアレルゲン活性を確実に低減させる効果を発揮することが実験的に確認され、これらの界面活性剤は抗アレルゲン性界面活性剤であることが実証された。
【００３８】
[実施例４：ＯＣＯ基界面活性剤を添加した吸着剤パイルの試験]
まず、鉱物油９６重量％に、抗アレルゲン性界面活性剤Ｃ８Ｈ１７ＣＨ（ＳＯ３Ｎａ）ＯＣＯＣＨ３を３．５重量％、抗菌防カビ剤を０．２重量％、その他０．３重量％添加して、吸着剤を作成した。ナイロンパイル２ｇに前記吸着剤０．３ｇを含浸させ、コナヒョウヒダニの糞由来のアレルゲン３３００ｎｇと接触させた。その後、株式会社ＬＣＤアレルギー研究所製の「ダニＤｅｒｆ１抗原測定キット」を用いて、ＥＬＩＳＡ法により抗アレルゲン効果を測定した。効果を比較するため、ナイロンパイル２ｇを前記アレルゲン３３００ｎｇと接触させたものをブランクとして、同様の方法で抗アレルゲン効果を測定した。アレルゲン活性は残留するアレルゲン量により評価した。その結果、Ｃ８Ｈ１７ＣＨ（ＳＯ３Ｎａ）ＯＣＯＣＨ３を添加した吸着剤では、アレルゲン量は９３ｎｇであった。他方、ブランクでは、アレルゲン量は３２８４ｎｇであった。明らかに、Ｃ８Ｈ１７ＣＨ（ＳＯ３Ｎａ）ＯＣＯＣＨ３を添加した吸着剤はアレルゲン活性を強力に低減させる効果を示した。
【００３９】
[実施例５：ＣＯＮ基界面活性剤を添加した吸着剤パイルの試験]
鉱物油９６重量％に、抗アレルゲン性界面活性剤Ｃ１８Ｈ３７ＣＯＮＣＨ３ＣＨＣ２Ｈ５ＣＯＯＨを３．５重量％、抗菌防カビ剤を０．２重量％、その他０．３重量％添加して、吸着剤を作成した。ナイロンパイル２ｇに前記吸着剤０．３ｇを含浸させ、コナヒョウヒダニの糞由来のアレルゲン３３００ｎｇと接触させた。その後、株式会社ＬＣＤアレルギー研究所製の「ダニＤｅｒｆ１抗原測定キット」を用いて、ＥＬＩＳＡ法により抗アレルゲン効果を測定した。ブランクは実施例４の値を使用する。アレルゲン活性は残留するアレルゲン量により評価した。その結果、Ｃ１８Ｈ３７ＣＯＮＣＨ３ＣＨＣ２Ｈ５ＣＯＯＨを添加した吸着剤では、アレルゲン量は１１４ｎｇであった。ブランクでは、アレルゲン量は３２８４ｎｇであるから、明らかに、Ｃ１８Ｈ３７ＣＯＮＣＨ３ＣＨＣ２Ｈ５ＣＯＯＨを添加した吸着剤はアレルゲン活性を強力に低減させる効果を示した。
【００４０】
[実施例６：イミダゾリン基界面活性剤を添加した吸着剤パイルの試験]
鉱物油９６重量％に、抗アレルゲン性界面活性剤Ｃ１８Ｈ３７ＣＮＣＣＨ３ＨＣＣＨ３ＨＮＣ２Ｈ４ＯＨ（Ｃ２Ｈ４Ｏ）ｎＨを３．５重量％、抗菌防カビ剤を０．２重量％、その他０．３重量％添加して、吸着剤を作成した。ナイロンパイル２ｇに前記吸着剤０．３ｇを含浸させ、コナヒョウヒダニの糞由来のアレルゲン３３００ｎｇと接触させた。その後、株式会社ＬＣＤアレルギー研究所製の「ダニＤｅｒｆ１抗原測定キット」を用いて、ＥＬＩＳＡ法により抗アレルゲン効果を測定した。また、ブランクは実施例４の値を使用する。アレルゲン活性は残留するアレルゲン量により評価した。その結果、Ｃ１８Ｈ３７ＣＮＣＣＨ３ＨＣＣＨ３ＨＮＣ２Ｈ４ＯＨ（Ｃ２Ｈ４Ｏ）ｎＨを添加した吸着剤では、アレルゲン量は７２８ｎｇであった。ブランクでは、アレルゲン量は３２８４ｎｇであるから、明らかに、Ｃ１８Ｈ３７ＣＮＣＣＨ３ＨＣＣＨ３ＨＮＣ２Ｈ４ＯＨ（Ｃ２Ｈ４Ｏ）ｎＨを添加した吸着剤はアレルゲン活性を低減させる効果を示した。
【００４１】
実施例４〜６の試験から分かるように、ＯＣＯ基、ＣＯＮ基又はイミダゾリン基を有する界面活性剤で鉱物油を乳化させてエマルジョン粒子をパイルに担持させたとき、そのパイルがアレルゲンのアレルゲン活性を低減させる効果を発揮することが実証された。従って、通常サイズのモップやマットに、本発明に係る吸着剤を含浸させた場合に、パイルや繊維に吸塵されたアレルゲンが抗アレルゲン性界面活性剤により不活化されることが明らかとなった。従って、油剤と本発明に係る抗アレルゲン性界面活性剤を少なくとも含有する吸着剤を清掃用繊維製品に含浸させれば、アレルゲン活性を低減させる効果を有した清掃用具を実現できる。
【００４２】
[実施例７：抗アレルゲン性界面活性剤を添加した消臭液]
本発明者等は、本発明に係る抗アレルゲン性界面活性剤を添加した消臭液が消臭効果とアレルゲン不活化効果を有するかどうかを試験した。水１０００ｇに、広葉樹林木酢液５ｇと針葉樹林木酢液５ｇと腐植土抽出エキス液２ｇを添加し、更にＯＣＯ基抗アレルゲン性界面活性剤Ｃ８Ｈ１７ＣＨ（ＳＯ３Ｎａ）ＯＣＯＣＨ３を１０ｇ添加して、消臭液を作成した。広葉樹林木酢液はアンモニアとメルカプタンを消臭し、針葉樹林木酢液はアンモニアと硫化水素を消臭し、腐植土抽出エキス液は木酢液の消臭作用を助長することができる。また、界面活性剤は防カビ効果が知られている。
【００４３】
前記消臭液１ｇに、コナヒョウヒダニの糞由来のアレルゲン２０００ｎｇを分散させ、株式会社ＬＣＤアレルギー研究所製の「ダニＤｅｒｆ１抗原測定キット」を用いて、ＥＬＩＳＡ法により抗アレルゲン効果を測定した。効果を比較するため、純粋の水１ｇに前記アレルゲン２０００ｎｇを分散させたものをブランクとして、同様の方法で抗アレルゲン効果を測定した。アレルゲン活性は残留するアレルゲン量により評価した。その結果、Ｃ８Ｈ１７ＣＨ（ＳＯ３Ｎａ）ＯＣＯＣＨ３を添加した消臭剤では、アレルゲン量は７２ｎｇであった。他方、ブランクでは、アレルゲン量は１９３８ｎｇであった。従って、Ｃ８Ｈ１７ＣＨ（ＳＯ３Ｎａ）ＯＣＯＣＨ３を添加した消臭剤は、アレルゲン活性を強力に低減させる効果があることが証明された。
【００４４】
前記消臭液の結果から、本発明に係る抗アレルゲン性界面活性剤を目的に応じて物品に所要量だけ添加することにより、物品に抗アレルゲン活性を付与できることが明らかになった。物品として、構造物、固体物、液体物、粘状物などがある。通常の物品に界面活性剤がもとから添加されている場合には、この界面活性剤を抗アレルゲン性界面活性剤に置換すればよい。また、従来から界面活性剤を使用しない物品においても、この抗アレルゲン性界面活性剤を追加的に添加・塗着・担持させることにより、物品の本来機能に抗アレルゲン性を付与することが可能である。物品として、例えば、化粧品、頭髪化粧品、入浴用洗浄剤、家庭用洗浄剤、工業用洗浄剤、廃液処理剤、廃油処理剤、土壌改良剤、掃除機の吸塵フィルター、家庭用業務用のレンジフードフィルター、車用木材用のワックス、壁紙、芳香消臭剤、その他各種の物品が包含される。
【００４５】
本発明は、上記実施形態や実施例及び変形例に限定されるものではなく、本発明の技術的思想を逸脱しない範囲における種々変形例、設計変更などをその技術的範囲内に包含するものであることは云うまでもない。
【産業上の利用可能性】
【００４６】
本発明に係る抗アレルゲン性界面活性剤は、従来から界面活性剤が使用される技術分野の全てに応用することができる。例えば、洗浄剤分野、化粧品分野、廃液廃油処理分野、除塵吸塵分野、台所用品分野、清掃分野などがある。特に、清掃用繊維製品分野ではクロス・モップ・マット・ハタキ等に大幅に適用することができる。